(57)【要約】      （修正有）【課題】曲率が小さいコーナー部があっても残飯廃棄・洗浄がし易い衛生的な食品容器を安価に提供する。【解決手段】食品容器の内部にもみ洗いや反転洗浄が出来る弾性変形可能な素材を使用したコーナーカバーを着脱可能に装着し、喫食後の残飯廃棄や洗浄を容易にした食品容器。【選択図】図６
2015029879.tif 000002
【特許請求の範囲】
【請求項１】
仕切り部の無い食品容器の容器本体の内側コーナー部を覆い;
該容器本体に着脱可能に装着される;
弾性変形可能な軟質樹脂成形品であることを特徴とするコーナーカバー。
【請求項２】
食品収容部を分割する仕切り部を固設した請求項１記載のコーナーカバー。
【請求項３】
食品収容部を分割する仕切り材の装着部を備え、該仕切り材が着脱可能に装着される請求項１記載のコーナーカバー。
【請求項４】
食品収容部を分割する仕切り材を食品容器の容器本体に着脱可能に装着するため、該容器本体の内側に形成した本体装着部を露出させる様に形成した請求項１記載のコーナーカバー。
【請求項５】
食品容器の容器本体の内面を覆う内側食品容器として形成した請求項１〜４記載の何れかのコーナーカバー。
【請求項６】
食品容器の容器本体の上端面を覆うリブを上端外周部に設けた請求項１〜５記載の何れかのコーナーカバー。
【請求項７】
リブと食品容器の上蓋の側面部との間に空隙を設けたことを特徴とする請求項６記載のコーナーカバー。
【請求項８】
請求項１〜７記載の何れかのコーナーカバーを内部に装着した食品容器。
【請求項９】
コーナーカバーと食品容器の容器本体又は上蓋との接触面の何れかの側に凹部又は凸部を設けたことを特徴とする請求項８記載の食品容器。
【発明の詳細な説明】
【技術分野】
【０００１】
本発明は、喫食後の洗浄が容易な弁当箱、重箱等の食品容器に関する。
【背景技術】
【０００２】
一般の家庭や食堂で繰り返し使用する弁当箱は、全体容積をコンパクトにするために側面部と側面部の接続部、側面部と底面部の接続部、又は、側面部又は底面部と食品仕切り部の接続部の内側コーナー部特に食品仕切り部の内側コーナー部の曲率は小さくなる。重箱は、多くの種類の食品を収納するために食品仕切り部が多くなったり小形の角型の小型容器を内部に複数配置したりするので、同様に内側コーナー部の曲率は小さくなる。
このため、喫食後の洗浄は食品仕切り部や小型容器の内側コーナー部等が洗浄不十分とならない様に丁寧に洗浄する必要がある。
弁当箱の洗浄を容易にする方法としては、弁当箱内面の食品接触面に防汚効果のある表面処理をする方法、弁当箱内部の形状に合わせて熱成形したフィルムを取り付け喫食後に残飯とともに除去する方法等がある。
しかし、防汚表面処理は完全なものでなくコーナー部等の内面形状によっては洗浄不十分となり易く、また、熱成形したフィルムは毎回弁当箱内部に取り付けるフィルム代と取り付け手間がかかる欠点がある。
また、弁当箱用として食品の一部を入れる繰り返し使用可能な小型容器もあるが、全ての食品を複数の小型容器に入れなければ弁当箱のコーナー部の洗浄に関しては効果が無く、小型容器の洗浄に手間がかかる欠点がある。
【先行技術文献】
【特許文献】
【０００３】
【特許文献１】特開2009-65991    仕切り成形品とそれを用いた弁当箱
【特許文献２】特開2011-116437    食品収容用小形容器
【発明の概要】
【発明が解決しようとする課題】
【０００４】
本発明は、弁当箱や重箱等の食品容器の容器本体を仕切り部の無い洗浄し易い内面形状とするとともに、もみ洗いや反転・延伸洗浄等に必要な弾性変形が可能な軟質素材を使用した容器本体の内側コーナー部を覆うコーナーカバーを容器本体に着脱可能に装着し、喫食後の残飯廃棄や洗浄を容易にした繰り返し使用する食品容器を提供する。
また、食品収納部を分割する必要がある場合は、洗浄し易い形状の仕切り材を容器本体又はコーナーカバーに着脱可能に装着するか、又は、コーナーカバーに仕切り部を固設して、食品容器とコーナーカバーとの洗浄を容易にする。
【課題を解決するための手段】
【０００５】
これらの課題を解決するために成した第一の発明は、
仕切り部の無い食品容器の容器本体の内側コーナー部を覆い;
該容器本体に着脱可能に装着される;
弾性変形可能な軟質樹脂成形品であることを特徴とするコーナーカバーである。
【０００６】
第一の発明の構成は、以下の通りである。
ａ）前記食品容器は、容器本体又は容器本体と上蓋とで構成される弁当箱又は重箱等の一般家庭や食堂で繰り返し使用される仕切り部の無い容器本体を持つ食品容器である。食品容器は、アルミ、ステンレス等の金属、木材、合成樹脂等の硬質な素材で製作され、必要な表面処理・塗装・印刷がされる。
ｂ）前記コーナーカバーは、食品容器の容器本体の内側コーナー部を覆う様に成形された着脱可能なカバーである。成形や取り扱いを容易にするために、底面側のコーナーカバー部の間又は側面側のコーナーカバー部の間を接続する部位等のコーナー部を覆う部位以外の部位をコーナーカバーに追加してもよい。例えば、底面部のみにコーナーが出来る長穴状の外形の容器本体に対しては底面全てを覆うコーナーカバーとすれば、コーナーカバーの取り扱いだけでなく容器本体の洗浄も容易になる。
コーナーカバーの内側に付着した食品の汚れを洗浄し易くするために、コーナー部を広げたり揉んだり反転・延伸したりの弾性変形が可能な様にシリコンゴム等の軟質樹脂で成形する。漆器等の高級な食品容器の場合は、下地が見える様に透明な軟質樹脂を使用してもよい。また、弁当箱の場合は曜日毎に又は交互にコーナーカバーの色を変えて弁当箱に変化を持たせてもよい。
【０００７】
これらの課題を解決するために成した第二の発明は、
食品収容部を分割する仕切り部を固設した第一の発明に示すコーナーカバーである。
【０００８】
食品容器は通常各種の方法で分割された複数の食品収容部があるが、食品収容部を分割する仕切り部を食品容器の容器本体に固設せず一体成形等によりコーナーカバーに固設して、食品容器の容器本体の洗浄を容易にするとともに仕切り部の洗浄も容易にする。複数の献立に対応出来る様に仕切り位置を変えた複数種のコーナーカバーを使用してもよい。
【０００９】
これらの課題を解決するために成した第三の発明は、
食品収容部を分割する仕切り材の装着部を備え、該仕切り材が着脱可能に装着される第一の発明に示すコーナーカバーである。
【００１０】
食品容器の食品収容部を分割する仕切り部をコーナーカバーと分離して仕切り材とし、コーナーカバーの内面に形成した複数の仕切り材装着部の希望の位置に１個又は複数個の仕切り材を着脱可能に装着する。これにより、１個のコーナーカバーで複数種の食品収納部を持つコーナーカバーが得られる。
前記仕切り材は、アルミ、ステンレス等の金属、木材、合成樹脂等の硬質な又は弾性変形可能な素材、コーナーカバーと同様な軟質樹脂、又は装着部に軟質樹脂の部分を持つ硬質な素材で製作される。仕切り材の形状は、単純な平板状に限定されず、断面がT型状、円形・楕円形状、多角形状、山形状等の形状でもよく、仕切り材が洗浄し難い形状でなければよい。
複数の仕切り材を装着するときは、仕切り材を平行に装着しても、直角に装着しても、角度を変えて装着しても、また、交差して装着してもよい。仕切り材の一端又は両端を他の仕切り材で保持してもよい。他の仕切り材で保持する場合は、相互の係合部を組み合わせて保持するか、一方の端部を他方の支持材の保持用凹部で保持するか、又は、軽く圧入した仕切り材の弾性変形による摩擦力で保持する。
【００１１】
前記仕切り材の装着部は、コーナーカバーの側面部又は底面部に形成した仕切り材の端部を保持する洗浄し易い形状の凹部、凸部、凹凸部、又は開口部、側面部の一部に形成した帯状の肉厚部、又は側面部の一部である。帯状の肉厚部又は側面部自体が仕切り材装着部の場合は、仕切り材を軽く圧入して肉厚部、側面部、又は仕切り材を弾性変形させて保持する。側面部の一部を仕切り材装着部とする場合は、容器本体の側面部に凹部又は凹凸部を形成し、仕切り材の装着により容器本体の側面部の凹凸に合わせてコーナーカバーの側面部を弾性変形させて支持してもよい。仕切り材を圧入する場合は、コーナーカバーを食品容器の容器本体に装着後に行う方がよい。
【００１２】
これらの課題を解決するために成した第四の発明は、
食品収容部を分割する仕切り材を食品容器の容器本体に着脱可能に装着するため、該容器本体の内側に形成した本体装着部を露出させる様に形成した第一の発明に示すコーナーカバーである。
【００１３】
本発明は、コーナーカバーに仕切り材の装着部を形成せず、食品容器の容器本体に形成した仕切り材の本体装着部にコーナーカバーを装着した状態で仕切り材を着脱可能に装着することにより、仕切り材を確実に保持するとともに、薄肉成形品であるコーナーカバーの損耗を減少させコーナーカバーを洗浄し易くするものである。
前記仕切り材は、装着部が本体装着部となる以外は第三の発明と同様である。
前記本体装着部は、食品容器の容器本体の側面部又は底面部の内側コーナー部以外の箇所に形成した仕切り材の端部を保持する洗浄し易い形状の凹部、凸部、凹凸部、又は側面部の一部分である。
前記コーナーカバーは、コーナーカバーを装着した状態で仕切り材を着脱可能に装着するため、本体装着部を露出する様に形成したコーナーカバーで、本体装着部を露出させる様に成形しても成形後に本体装着部を露出させる様にカットしてもよい。
仕切り材の装着方法は、コーナーカバー装着後に限定されるが、これ以外は第三の発明と同様である。
【００１４】
これらの課題を解決するために成した第五の発明は、
食品容器の容器本体の内面を覆う内側食品容器として形成した第一〜第四の何れかの発明に示すコーナーカバーである。
【００１５】
食品を食品容器の容器本体の内面に接触させない様に容器本体の内面を覆う内側食品容器として形成したコーナーカバーを使用し、容器本体の洗浄を非常に容易にする。
容器本体に仕切り材の本体装着部を形成する場合は、容器本体の底面部には本体装着部を形成せず、側面部上部のみに本体装着部を形成する。
【００１６】
これらの課題を解決するために成した第六の発明は、
食品容器の容器本体の上端面を覆うリブを上端外周部に設けた第一〜第五の発明に示すコーナーカバーである。
【００１７】
通常、弁当箱の容器本体には密封パッキングが別途装着されるが、このため密封パッキング用の装着用溝が必要となり、煩わしい装着用溝と密封パッキングの洗浄が必要となる。
本発明は、食品容器の容器本体の上端面を覆うリブをコーナーカバーの上端外周部に設け、密封パッキングとすることにより装着用溝を不要とし洗浄も簡単にするとともに、薄肉成形品であるコーナーカバーの形状を安定させるものである。
【００１８】
これらの課題を解決するために成した第七の発明は、
リブと食品容器の上蓋の側面部との間に空隙を設けたことを特徴とする第六の発明に示すコーナーカバーである。
【００１９】
上蓋の側面部とリブとが密着又は接触していると、上蓋を被せる時はリブの外周端面が抵抗となって被せ難く、上蓋を取り外す時はリブが捲れ上がることにより上蓋が外れ難くなりコーナーカバーも持ち上がり食品がこぼれる危険がある。これらを防止するために、リブと食品容器の上蓋の側面部との間に空隙を設ける様にリブの外形を決定する。
【００２０】
これらの課題を解決するために成した第八の発明は、
第一〜第七の発明に示すコーナーカバーを内部に装着した食品容器である。
【００２１】
これらの課題を解決するために成した第九の発明は、
コーナーカバーと食品容器の容器本体又は上蓋との接触面の何れかの側に凹部又は凸部を設けたことを特徴とする第八の発明に示す食品容器である。
【００２２】
a)    薄肉成形品のコーナーカバーと食品容器の容器本体とが密着する場合は、装着時には皺になり易い上に密着させ難く、また取り外しも難しくなる。これらを解決するために、何れかの側の接触面の一部に凹部又は凸部を設けて空隙を設け、装着・取り外しを容易にする。凹部又は凸部は、洗浄し易い側に洗浄し易い形状で必要な部分に設ける。
b)    リブと食品容器の上蓋との接触面は、上蓋装着状態では密封され上蓋取り外し時には離間し易くする必要があるので、何れかの側の接触面の一部に上蓋装着状態では密封可能な小さな凸部を設ける。凸部の形状は、連続した形状、断続した形状、半球状、又は円錐状等の密封可能な形状である。
【発明の効果】
【００２３】
第一の発明により、下記の効果が生まれる。
a)    喫食後の食品容器の内側コーナー部の汚れが無くなり、食品容器の洗浄が容易になる。
b)    喫食後のコーナーカバーを弾性変形させながら洗浄できるので、洗浄が容易で確実に行われ衛生的な食品容器となる。
c)    
曜日等によって色を変えることにより、弁当箱に新たな変化を与えることが出来る。
d)    コーナーカバーを透明樹脂とすれば、容器本体の内面デザインも楽しめる。
【００２４】
第二の発明により、下記の効果が生まれる。
a)    献立に対応したコーナーカバーに食品を見栄え良く並べることが出来る。
b)    食品容器の容器本体に仕切り部が無くなるので、容器本体の洗浄が非常に簡単になる。
c)    
複数の小形容器を使用する必要が無く、洗浄等の手間が省ける。
【００２５】
第三の発明により、第二の発明による効果に加え、下記の効果が生まれる。
a)    1個のコーナーカバーで複数種の希望する食品収納部が得られる。
b)    仕切り材とコーナーカバーが分離できるので、洗浄が容易になる。
【００２６】
第四の発明により、第三の発明による効果に加え、下記の効果が生まれる。
a)    薄肉成形品であるコーナーカバーの損耗を減少させ、コーナーカバーを洗浄し易くする。
b)    コーナーカバーの保持が確実になる。
【００２７】
第五の発明により、下記の効果が生まれる。
a)    喫食後の残飯取り出し・廃棄が容易になる。
b)    喫食後の食品容器の容器本体の汚れがほぼ無くなり、払拭・洗浄も非常に簡単になる。
c)    
食品容器の払拭・洗浄が非常に簡単になるので、洗浄による食品容器の痛みが問題となる漆器製、木質曲げ物等の高級な弁当箱・重箱等の食品容器の耐久性を向上させる。
【００２８】
第六の発明により、下記の効果が生まれる。
a)    洗浄し難い密封パッキング及びパッキング装着溝が不要となり、洗浄が簡単になる。
b)    薄肉成形品であるコーナーカバーの形状が安定する。
c)    
変形し易く装着し難い従来の密封パッキングが、コーナーカバーの形状を安定させる一体成形のリブとなるので、コーナーカバーの装着が容易となり洗浄した密封パッキングを探す必要も無くなる。
d)    従来の密封パッキングの様に上蓋取り外し時に上蓋とともに取り外されて床面等に落下することが無い。
e) 木質曲げ物等の密封性がない弁当箱も密封できる。
【００２９】
第七の発明により、下記の効果が生まれる。
a)    上蓋の側面部とリブとが密着又は接触せず、スムーズに上蓋を被せることが出来る。
b)    上蓋を取り外す時にリブが捲れ上がることが無く上蓋が取り外し易くなり、コーナーカバーの持ち上がりも無く食品が弁当箱からこぼれる危険が無い。
【００３０】
第八・第九の発明により、下記の効果が生まれる。
上蓋、コーナーカバーが着脱し易く、献立に対応して食品を見栄え良く並べられ、喫食後の残飯取り出し・廃棄が容易で、洗浄し易い衛生的な食品容器が得られる。
【図面の簡単な説明】
【００３１】
【図１】第一の実施例の説明図  (平面図)
【図２】第一の実施例の説明図  (図1のA-A’  断面図)
【図３】図２の側面部の部分拡大図
【図４】第二の実施例の説明図  (断面図)
【図５】第三の実施例の説明図  (平面図)
【図６】第三の実施例の説明図  (図５のB-B’  断面図)
【図７】第四の実施例の説明図  (平面図)
【図８】第四の実施例の説明図  (図７のC-C’  断面図)
【発明を実施するための形態】
【実施例１】
【００３２】
本発明の食品容器は、弁当箱や重箱等の一般の家庭や食堂で繰り返し使用される食品を収納する容器であるが、代表的な食品容器の弁当箱に対する実施例を以下に記載する。
容器本体1と上蓋２とで構成された弁当箱は伸縮性バンド４で結束され、弁当箱の容器本体1の内部には、上端面外周部のリブと内部に仕切り部のある内側食品容器3がコーナーカバーとして着脱可能に装着されている。(図1、図２、及び図３参照)
弁当箱の容器本体1と上蓋２は、アルミ、ステンレス等の金属、木材、合成樹脂等の硬質な素材で製作され、必要な表面処理・塗装・印刷がされる。
容器本体１は、断面が僅か逆台形状の側面下部1a,、側面下部1aからの立ち上がり側面部1b、及び底面部１cで構成される。側面下部1aと立ち上がり側面部1bとで側面全周に僅かな凹部1dが設けられ、底面部１cに浅い凹部1eを洗浄し易い形状で設ける。
上蓋２は、上面部2aと側面部2bとで構成され、上面部2aの外周部内側には半球状の凸部２cが複数設けられている。
【００３３】
内側食品容器3は、シリコンゴム等の弾性変形可能な軟質樹脂の成形品で、側面部3a、底面部3b、横方向食品仕切り部3c、縦方向食品仕切り部3d、及び、弁当箱の容器本体1の立ち上がり側面部1bの上端を覆うリブ3eで構成される食品容器である。内側食品容器3には、側面部3a、底面部3b、横方向仕切り部3c、及び縦方向仕切り部3dで仕切られた食品収納部５、６、７がある。各部の概略の肉厚は、側面部3aと底面部3bは0.3〜1mm、横方向仕切り部3cと縦方向仕切り部3dは1〜２mm、リブ3eは1〜3ｍｍである。尚、図１、図２、及び図３は、本実施例の構成の説明図で、各部の肉厚対比を示すものでは無い。
弁当箱は、上蓋2の上面外周部2a、内側食品容器3のリブ3e、及び弁当箱の容器本体1の立ち上がり側面部1bの上端で密封される。
【００３４】
内側食品容器3の着脱を容易にするために、弁当箱の容器本体1の内面と内側食品容器3の側面部3a又は底面部3bとが接触する面の一部に僅かな空隙を設ける様にこれらの接触面の一部に凹凸部を設ける。本実施例では、弁当箱の容器本体1の側面全周に設けた凹部1dによる空隙８と容器本体１の底面部1cの凹部1eによる空隙９とを設けてある。
また、上蓋2の側面部2ｂと内側食品容器3のリブ3eとの間には僅かな空隙１０を設けるとともに、上蓋2の上面部2aの外周部とリブ3eとの接触面の何れかの面には上蓋装着時には密封可能な小さな凸部を設け、上蓋2とリブ3eとを離間し易くして上蓋2を取り外し易い様にした方が良い。本実施例では上蓋2の上面部2aの外周部の内側に小さな半球状凸部2cを複数設けてある。
喫食後は、上蓋2を取り外し後、内側食品容器3を取り外して残飯を廃棄し、弁当箱本体1、上蓋2、内側食品容器3を洗浄する。
【実施例２】
【００３５】
実施例１の内側食品容器3の底面部3bの一部に底面開口部11ｆを設けたコーナーカバー１１を使用することにより、コーナーカバー１１を洗浄し易くした実施例である。
本実施例では、コーナー部と仕切り部11ｃ、11dとを除く底面部を底面開口部11 fとしてある。食品収納部１２,１３、１４の何れかに底面開口部11 fを設けない様にしてもよい。側面部11a、横方向仕切り部11c、縦方向仕切り部11d、及びリブ11eは実施例１と同様に設けてある。(図４参照)
弁当箱の容器本体１は、実施例1と共用する場合は同一品でもよいが、本実施例では底面部の凹部1bは設けていない。
また、底面部11ｂだけでなく側面部11aにも側面開口部を設けてもよく、更に、リブ11eの無い容器本体１の上端部が露出するコーナーカバーとしてもよい。この場合の側面部11aと底面部11ｂとの残る部分の肉厚は、０．５mm以上の取扱い易い肉厚とする。
【実施例３】
【００３６】
実施例１の内側食品容器3に仕切り部3ｃ、3dを設けず、必要数の横方向仕切り材と縦方向仕切り材を着脱可能に装着する内側食品容器１５を使用することにより、１枚の内側食品容器で複数の希望する食品収納部を設けることが出来るとともに内側食品容器１５を洗浄し易くした実施例である。(図5及び図6参照)
本実施例では、内側食品容器１５の側面部15aの内側に波形状の凹凸部を一体成形して仕切り材としての仕切り板１６、１７の装着部15gとする。また、側面部15a、底面部15b、２枚の横方向仕切り板１６、及び１枚の縦方向仕切り板１７で仕切られた食品収納部１８〜２１を設けてある。縦方向仕切り板１７の平滑な端部は横方向仕切り板１６の洗浄し易い形状の保持用凹部16aで支持され、洗浄し易い保持構造となっている。
これ等以外の部分は、実施例１と同様である。
【実施例４】
【００３７】
弁当箱の容器本体の内側コーナー部以外の箇所に仕切り材を装着する本体装着部を形成し、コーナーカバー装着状態で仕切り材を着脱可能に装着するため本体装着部を露出させる内側食品容器を弁当箱の容器本体に着脱可能に装着した後、仕切り材を着脱可能に装着する。これにより、仕切り材を確実に保持するとともに、薄肉成形品であるコーナーカバーの損耗を減少させコーナーカバーを洗浄し易くするものである。(図７及び図８参照)
本実施例では、弁当箱の容器本体２２の側面部22aの上部に複数の本体装着部22gを設け、本体装着部22gを露出させるために設けた内側食品容器２３の側面部23aの上部の開口部23hを通して仕切り材２４,２５を本体装着部22gに着脱可能に装着する。弁当箱の容器本体２２の底面部22b には本体装着部を形成しない。
弁当箱の容器本体２２は、実施例１〜３の容器本体１の側面部の上部に複数の本体装着部22gを形成したものである。
内側食品容器２３は、仕切り材装着部が無く、弁当箱の本体２２に形成した本体装着部22gを露出させ仕切り材２４、２５を装着するための開口部23ｈが設けられる以外は実施例３の内側食品容器１５と同様である。開口部23hは、本体装着部22g毎に設けても、複数の本体装着部22gを連結して設けてもよい。
仕切り材は、横方向仕切り板２４と縦方向仕切り板２５が本体装着部22gに装着される以外は実施例３と同様である。
以上の実施例１〜４は本発明の一例を示すものであって、本発明がこれ等に限定されるものでは無い。
【符号の説明】
【００３８】
１       弁当箱の容器本体
１a      弁当箱の容器本体１の側面下部
１b      弁当箱の容器本体１の側面立ち上がり部
１c      弁当箱の容器本体１の底面部
１d      弁当箱の容器本体１の側面部の凹部
１e      弁当箱の容器本体１の底面部の凹部
２       上蓋
２a      上蓋２の上面部
２b      上蓋２の側面部
２c      上蓋２の上面部内側の凸部
３       内側食品容器
３a      内側食品容器３の側面部
３b      内側食品容器３の底面部
３c      内側食品容器３の横方向仕切り部
３d      内側食品容器３の縦方向仕切り部
３e      内側食品容器３のリブ
４        伸縮性バンド
５〜7    仕切られた食品収納部
８        弁当箱の容器本体１の側面部と内側食品容器３の側面部3aとの間の空隙
９        弁当箱の容器本体１の底面部1ｃと内側食品容器３の底面部3bとの間の空隙
１０      上蓋２の側面部2bとリブ3eとの間の空隙
１１      底面開口部のあるコーナーカバー
11a      コーナーカバー１１の側面部
11b      コーナーカバー１１の底面部
11c      コーナーカバー１１の横方向仕切り部
11d      コーナーカバー１１の縦方向仕切り部
11e      コーナーカバー１１のリブ
11ｆ     コーナーカバー１１の底面開口部
１２〜１４    仕切られた食品収納部
１５    仕切り板を装着可能な内側食品容器
15a     内側食品容器１５の側面部
15b     内側食品容器１５の底面部
15g     内側食品容器１５の側面部15aの波形状の仕切り板装着部
１６    横方向仕切り板
16a     横方向仕切り板１６の保持用凹部
１７    縦方向仕切り板
１８〜２１    仕切られた食品収納部
２２    本体装着部を持つ弁当箱の容器本体
22a    弁当箱の容器本体２２の側面部
22ｂ    弁当箱の容器本体２２の底面部
22g    弁当箱の容器本体２２の本体装着部
２３    仕切り板装着用の開口部を持つ内側食品容器
23a    内側食品容器２３の側面部
23b    内側食品容器２３の底面部
23ｈ   内側食品容器２３の開口部
２４    横方向仕切り板
２５    縦方向仕切り板
【図１】
2015029879.tif 000003
【図２】
2015029879.tif 000004
【図３】
2015029879.tif 000005
【図４】
2015029879.tif 000006
【図５】
2015029879.tif 000007
【図６】
2015029879.tif 000008
【図７】
2015029879.tif 000009
【図８】
2015029879.tif 000010